(57)【要約】【課題】ベルト方式による転写機構における感光体ドラムと転写ベルトとの接離動作を確実にできる転写機構を提供する。【解決手段】用紙Ｐを搬送する転写ベルト１０３を備えて該転写ベルト１０３により搬送された用紙Ｐ上に感光体ドラム３上で顕像化されたトナー像を転写する転写ユニット１１０と、転写ユニット１１０の位置を変位させて感光体ドラム３に転写ベルト１０３を接離するベルト接離手段１２０とを備えた転写機構１００において、ベルト接離手段１２０は、転写ユニット１１０に当接して転写ユニット１１０を変位させる複数のリフトアーム１２１と、複数のリフトアーム１２１をそれぞれ連動させる複数の連動部材１２４と、複数の連動部材１２４を連結するコイルばね１２３と、連動部材１２４を介してリフトアーム１２１を動作させるソレノイド１２２とを備えるものとする。【選択図】図３
2008003440.tif 000002
【特許請求の範囲】
【請求項１】
記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構において、
前記ベルト接離手段は、前記転写ユニットに当接して該転写ユニットを変位させる複数の転写ユニット変位部材と、前記複数の転写ユニット変位部材をそれぞれ連動させる複数の連動部材と、前記複数の連動部材を連結する弾性部材と、前記連動部材を介して前記転写ユニット変位部材を動作させる駆動手段とを備えることを特徴とする転写機構。
【請求項２】
前記駆動手段としてソレノイドを用いることを特徴とする請求項１に記載の転写機構。
【請求項３】
前記転写ユニット変位部材は、前記駆動手段の動作により回転動作を行なうことを特徴とする請求項１または２に記載の転写機構。
【請求項４】
前記複数の転写ユニット変位部材のうちの一転写ユニット変位部材は、前記駆動手段から直接駆動が伝達され、
その他の転写ユニット変位部材は、前記弾性部材を介して駆動が伝達されることを特徴とする請求項１乃至３のうちの何れか一項に記載の転写機構。
【請求項５】
前記転写ユニット変位部材は、前記駆動手段の駆動により前記転写ユニットを前記静電潜像担持体に対して上下方向に変位させて接離動作を行なうことを特徴とする請求項１乃至４のうちの何れか一項に記載の転写機構。
【請求項６】
前記転写ユニット変位部材は、前記転写ユニットの搬送ベルト幅方向に沿った方向の両側端部に配置されることを特徴とする請求項１乃至５のうちの何れか一項に記載の転写機構。
【請求項７】
前記複数の転写ユニット変位部材のうちの駆動手段側に配置される転写ユニット変位部材は、前記駆動手段の動作による前記転写ユニットに到達するまでの変位量が、その他の転写ユニット変位部材の前記転写ユニットに到達するまでの変位量よりも大きいことを特徴とする請求項５または６に記載の転写機構。
【請求項８】
前記転写ユニットは、前記転写ベルトが前記静電潜像担持体に対して非接触状態の時には前記転写ベルトが前記静電潜像担持体に対して均等な空隙距離を保持するとともに、前記転写ベルトが前記静電潜像担持体と接触状態の時には前記転写ベルトが前記静電潜像担持体に対して均等な転写ニップ幅を維持するように配置されていることを特徴とする請求項１乃至７のうちの何れか一項に記載の転写機構。
【請求項９】
現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構と、該記録媒体上に転写された現像剤像を記録媒体に定着させる定着手段とを備えて印字要求に応じて画像出力を行う画像形成装置において、
前記転写機構は、請求項１乃至８のうちの何れか一項に記載の転写機構を用いることを特徴とする画像形成装置。
【発明の詳細な説明】
【技術分野】
【０００１】
本発明は、転写機構及びこれを用いた画像形成装置に係り、特に、電子写真方式を用いた複写機、複合機、プリンタ、ファクシミリ等に適用して印字要求に応じて画像出力を行う画像形成装置に用いられる転写機構及びこれを用いた画像形成装置に関する。
【背景技術】
【０００２】
画像形成装置の転写機構は、搬送される記録媒体（用紙）を静電潜像担持体（感光体ドラム）と接触し用紙の背面から転写電界を印加し、用紙上に感光体ドラム上の顕像化された画像情報（トナー像または現像剤像）を転写する機能を有している。
【０００３】
近年、画像形成装置において、コンパクト化および高速化に伴い、転写機構として無端ベルトを用いたベルト転写方式を採用する開発が進んでいる。
【０００４】
ベルト転写方式は、無端ベルトにより用紙を搬送するとともに、感光体ドラム上に用紙または無端ベルトを当接させて、該感光体ドラム上に顕像化されたトナー像を用紙または無端ベルト上に転写するようにしたものであり、感光体ドラムに対して無端ベルトを接離させるベルト接離機構を有する形態で構成されることが多い。
【０００５】
すなわち、転写工程時には感光体ドラムと用紙または無端ベルトとを接触させるが、非転写工程時は非接触状態として、無端ベルトの消耗や劣化を防止する必要がある。
【０００６】
そこで、従来のベルト接離の方式として、無端ベルト（転写ベルト）とそれを架橋する複数のローラおよび転写ローラを１つの転写ユニットとして転写ユニット全体をカム方式により感光体ドラムに対して移動させる手法と、ソレノイド等を用いて転写ユニット全体を移動する手法が知られている（特許文献１を参照）。
【特許文献１】特開平０８−１３７１６６号公報
【発明の開示】
【発明が解決しようとする課題】
【０００７】
しかしながら、上述したようなカム方式を用いると、カムの駆動源の構成や駆動連結手法が煩雑になると共に、高速印字処理ではカムの駆動（回転）時間の遅延が生じて応答性が悪くなるという問題が生じる。
【０００８】
そこで、駆動源に作動時の応答性に優れたソレノイドを用いて転写ユニット全体を移動する手法が多く用いられている。しかしながら、ソレノイドのＯＮ／ＯＦＦにより転写ベルトをベルト幅方向に沿ってベルト幅全域に渡り前記感光体ドラムから同時に接離することは、組付け精度や加工精度上困難であり、ソレノイドに近接配置された一方側端部が感光体ドラムから離間した状態であっても他方側端部が感光体ドラムに接触した状態となる事があるという問題が生じる。
【０００９】
本発明は、上記従来の問題点を鑑みてなされたものであって、ベルト方式による転写機構における感光体ドラムと転写ベルトとの接離動作を確実にできる転写機構を提供することを目的とするものである。
【課題を解決するための手段】
【００１０】
上述した課題を解決するための本発明に係る転写機構の構成は、次の通りである。
請求項１に記載した転写機構は、記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構において、前記ベルト接離手段の構成として、前記転写ユニットに当接して該転写ユニットを変位させる複数の転写ユニット変位部材と、前記複数の転写ユニット変位部材をそれぞれ連動させる複数の連動部材と、前記複数の連動部材を連結する弾性部材と、前記連動部材を介して前記転写ユニット変位部材を動作させる駆動手段と、を備えることを特徴とするものである。
【００１１】
尚、本発明における搬送ベルトは、記録媒体または該搬送ベルト上に静電潜像担持体上で顕像化された現像剤像を搬送するものであり、いわゆる転写ベルトを含むものでる。
【００１２】
請求項２に記載した転写機構は、請求項１に記載した構成に加えて、前記駆動手段としてソレノイドを用いることを特徴とするものである。
【００１３】
請求項３に記載した転写機構は、請求項１また２に記載した構成に加えて、前記転写ユニット変位部材を、前記駆動手段の動作により回転動作を行なうようにしたことを特徴とするものである。
【００１４】
請求項４に記載した転写機構は、請求項１乃至３のうちの何れか一項に記載した構成に加えて、前記複数の転写ユニット変位部材のうちの一方の転写ユニット変位部材を、前記駆動手段から直接駆動が伝達され、他方の転写ユニット変位部材を、前記弾性部材を介して駆動が伝達されるようにすることを特徴とするものである。
【００１５】
請求項５に記載した転写機構は、請求項１乃至４のうちの何れか一項に記載した構成に加えて、前記転写ユニット変位部材を、前記駆動手段の駆動により前記転写ユニットを前記静電潜像担持体に対して上下方向に変位させて接離動作を行なうようにすることを特徴とするものである。
【００１６】
請求項６に記載した転写機構は、請求項１乃至４のうちの何れか一項に記載した構成に加えて、前記転写ユニット変位部材を、前記転写ユニットの搬送ベルト幅方向に沿った方向の両側端部に配置することを特徴とするものである。
【００１７】
請求項７に記載した転写機構は、請求項５または６に記載した構成に加えて、前記複数の転写ユニット変位部材のうちの駆動手段側に配置される転写ユニット変位部材を、前記駆動手段の動作による前記転写ユニットに到達するまでの変位量（移動距離）が、他方の転写ユニット変位部材の前記転写ユニットに到達するまでの変位量よりも大きくすることを特徴とするものである。
【００１８】
請求項８に記載した転写機構は、請求項１乃至７のうちの何れか一項に記載した構成に加えて、前記転写ユニットの構成を、前記転写ベルトが前記静電潜像担持体に対して非接触状態の時には前記転写ベルトが前記静電潜像担持体に対して均等な空隙距離を保持するとともに、前記転写ベルトが前記静電潜像担持体と接触状態の時には前記転写ベルトが前記静電潜像担持体に対して均等な転写ニップ幅を維持するように配置することを特徴とするものである。
【００１９】
また、請求項９に記載した画像形成装置は、現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構と、該記録媒体上に転写された現像剤像を記録媒体に定着させる定着手段とを備えて印字要求に応じて画像出力を行う画像形成装置において、前記転写機構として請求項１乃至８のうちの何れか一項に記載の転写機構を用いることを特徴とするものである。
【発明の効果】
【００２０】
請求項１に記載した発明によれば、記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構において、前記ベルト接離手段の構成として、前記転写ユニットに当接して該転写ユニットを変位させる複数の転写ユニット変位部材と、前記複数の転写ユニット変位部材をそれぞれ連動させる複数の連動部材と、前記複数の連動部材を連結する弾性部材と、前記連動部材を介して前記転写ユニット変位部材を動作させる駆動手段と、を備えることで、感光体ドラムと転写ベルトとの接離動作を確実にできる転写機構を実現できる。
【００２１】
また、請求項２〜８に記載の発明によれば、請求項１に記載の発明で得られる上記共通の効果に加え、次の効果を得ることができる。
【００２２】
すなわち、請求項２に記載した発明によれば、前記駆動手段としてソレノイドを用いることで、駆動源の構成や連結手法を煩雑にすることなく簡単に構成できる。
【００２３】
請求項３に記載した発明によれば、請求項１または２に記載の発明で得られる効果に加えて、前記転写ユニット変位部材を、前記駆動手段の動作により回転動作を行なうようにしたことで、簡単で且つ省スペースな装置構成を実現できる。
【００２４】
請求項４に記載した発明によれば、請求項１乃至３のうちの何れか一項に記載の発明で得られる効果に加えて、前記複数の転写ユニット変位部材のうちの一方の転写ユニット変位部材を、前記駆動手段から直接駆動が伝達され、他方の転写ユニット変位部材を、前記弾性部材を介して駆動が伝達されるようにすることで、弾性部材により部品精度や組立て精度を許容できるので、高精度の加工や組立て技術によることなく正確な駆動伝達が可能になる。
【００２５】
請求項５に記載した発明によれば、請求項１乃至４のうちの何れか一項に記載の発明で得られる効果に加えて、前記転写ユニット変位部材を、前記駆動手段の駆動により前記転写ユニットを前記静電潜像担持体に対して上下方向に変位させて接離動作を行なうようにすることで、転写ユニットを安定させた状態で変位できるとともに、軸心方向が略水平に配設された静電潜像担持体に対して容易に記録媒体または搬送ベルトを容易に接離できる。
【００２６】
請求項６に記載した発明によれば、請求項１乃至４のうちの何れか一項に記載の発明で得られる効果に加えて、前記転写ユニット変位部材を、前記転写ユニットの搬送ベルト幅方向に沿った方向の両側端部に配置することで、少ない部品構成で且つ省スペースで転写ユニットを安定して変位させることができる。
【００２７】
請求項７に記載した発明によれば、請求項５または６に記載の発明で得られる効果に加えて、前記複数の転写ユニット変位部材のうちの駆動手段側に配置される転写ユニット変位部材を、前記駆動手段の動作による前記転写ユニットに到達するまでの変位量（移動距離）が、他方の転写ユニット変位部材の前記転写ユニットに到達するまでの変位量よりも大きくすることで、転写ユニット変位部材が洗車ユニットに当接するタイミングを一致させて確実に転写ユニットを均等に接離することができる。
【００２８】
請求項８に記載した発明によれば、請求項１乃至７のうちの何れか一項に記載の発明で得られる効果に加えて、前記転写ユニットの構成を、前記転写ベルトが前記静電潜像担持体に対して非接触状態の時には前記転写ベルトが前記静電潜像担持体に対して均等な空隙距離を保持するとともに、前記転写ベルトが前記静電潜像担持体と接触状態の時には前記転写ベルトが前記静電潜像担持体に対して均等な転写ニップ幅を維持するように配置することで、記録媒体または搬送ベルトの接離動作を確実に行うことができるとともに、転写工程を確実に処理できる。
【００２９】
請求項９に記載した発明によれば、現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、前記転写ユニットの位置を変位させて前記静電潜像担持体に前記搬送ベルトを接離するベルト接離手段とを備えた転写機構と、該記録媒体上に転写された現像剤像を記録媒体に定着させる定着手段とを備えて印字要求に応じて画像出力を行う画像形成装置において、前記転写機構として請求項１乃至８のうちの何れか一項に記載の転写機構を用いることで、感光体ドラムと転写ベルトとの接離動作を確実に行い安定した画像形成を可能にした画像形成装置を実現できる。
【発明を実施するための最良の形態】
【００３０】
（第１実施形態）
以下、本発明の実施の形態について図面を参照して詳細に説明する。
図１〜図３は本発明を実施する形態の一例であって、図１は本発明の第１実施形態に係る転写機構の構成を示す側面視による説明図、図２は前記転写機構の構成を示す平面視による説明図、図３は前記転写機構を構成するベルト接離手段の構成を示す説明図であって、（ａ）は前記ベルト接離手段が転写ユニットから離間している状態を示す側面視による説明図、（ｂ）は前記ベルト接離手段の平面視による説明図、（ｃ）は前記ベルト接離手段が転写ユニットを押し上げる状態を示す側面視による説明図、（ｄ）は前記ベルト接離手段の平面視による説明図である。
【００３１】
本実施形態に係る転写機構１００は、図１，図２に示すように、用紙（記録媒体）を搬送する無端状の転写ベルト（搬送ベルト）１０３を備えて該転写ベルト１０３により搬送された用紙または転写ベルト１０３上に感光体ドラム（静電潜像担持体）３上で顕像化されたトナー像（現像剤像）を転写する転写ユニット１１０と、転写ユニット１１０の位置を変位させて感光体ドラム３に転写ベルト１０３を接離するベルト接離手段１２０とを備えたものである。
【００３２】
転写ユニット１１０は、感光体ドラム３の下方に配置され、転写ベルト１０３が感光体ドラム３に対して非接触状態の時には転写ベルト１０３が感光体ドラム３に対して均等な空隙距離を保持するとともに、転写ベルト１０３が感光体ドラム３と接触状態の時には転写ベルト１０３が感光体ドラム３に対して均等な転写ニップ幅を維持するように配置されている。
図中の符号１０１は駆動ローラ、１０２は従動ローラ、１０５は弾性導電性ローラである。
【００３３】
ベルト接離手段１２０は、転写ユニット１１０に当接して転写ユニット１１０を変位させる複数のリフトアーム（転写ユニット変位部材）１２１（１２１ａ，１２１ｂ）と、リフトアーム１２１をそれぞれ連動させる連動部材１２４と、複数の連動部材１２４を連結するコイルばね（弾性部材）１２３と、連動部材１２４を介してリフトアーム１２１を動作させるソレノイド（駆動手段）１２２とを備えている。
【００３４】
リフトアーム１２１は、図３（ａ），（ｄ）に示すように、用紙幅方向に沿って２カ所に離間してリフトアーム１２１ａ，１２１ｂが略同じ高さ（略水平）に配置されている。本実施形態では、リフトアーム１２１ａ，１２１ｂは、転写ユニット１１０の搬送ベルト幅方向に沿った方向の両側端部に配置されている。
以下、リフトアーム１２１ａを第１リフトアーム１２１ａ、リフトアーム１２１ｂを第２リフトアーム１２１ｂと称する。
【００３５】
第１リフトアーム１２１ａと第２リフトアーム１２１ｂは、略同様な形状を有している。そこで、第１リフトアーム１２１ａを例に挙げて説明する。
第１リフトアーム１２１ａは、一片１２１ａ１を下方に延設し他方片１２１ａ２を略水平に延設した略Ｌ字形状を呈し、それら２片による角部を支点として支軸１２１ｃによって転写機構１００の筐体に回動可能に軸支されている。
【００３６】
第１リフトアーム１２１ａの一片１２１ａ１の端部は、支軸１２４ｃにより連動部材１２４に対して回動可能に連結され、他方片１２１ａ２の端部は、転写ユニット１１０の底部１１０ａと当接するように配置されている。
【００３７】
他方片１２１ａ２の端部の底部１１０ａと対向する部分は、断面円弧状に形成されている。これにより、他方片１２１ａ２の上端部が底部１１０ａと当接して摺動する時にスムーズな動作を可能としている。
【００３８】
連動部材１２４は、第１リフトアーム１２１ａと連結される第１アーム部１２４ａと、第２リフトアーム１２１ｂと連結される第２アーム部１２４ｂとを備え、第１アーム部１２４ａと第２アーム部１２４ｂとの間にコイルばね１２３を介在させて長手方向（連結方向）に伸縮可能に構成されている。
【００３９】
第１アーム部１２４ａは、反コイルばね側の端部がソレノイド１２２の作動部１２２ａと連結されるとともに、ソレノイド１２２による駆動が直接伝達される。
第２アーム部１２４ｂは、ソレノイド１２２による駆動がコイルばね１２３を介して伝達される。
【００４０】
すなわち、ソレノイド１２２が駆動すると、第１アーム部１２４ａに係合される第１リフトアーム１２１ａには直接的に駆動伝達され、第２アーム部１２４ｂに係合される第２リフトアーム１２１ｂにはコイルばね１２３を介して間接的に駆動伝達される。
【００４１】
本実施形態では、第１リフトアーム１２１ａと第２リフトアーム１２１ｂとの動作タイミングを調整するために、図３（ａ）に示すように、第１リフトアーム１２１ａと転写ユニット１１０の底部１１０ａとの距離（第１リフトアーム１２１ａの変位量）Ｌａと、第２リフトアーム１２１ｂと転写ユニット１１０の底部１１０ａとの距離（第２リフトアーム１２１ｂの変位量）Ｌｂとの関係を、Ｌａ＞Ｌｂとして動作タイミングを合わせている。
【００４２】
次に、本実施形態に係る転写機構１００の作用について図面を参照して説明する。
通常、転写機構１００が作動していない場合、感光体ドラム３と転写ベルト１０３とが当接しない状態になっているため、図３（ａ）に示すように、第１リフトアーム１２１ａ及び第２リフトアーム１２１ｂは転写ユニット１１０の底部１１０ａから離間した状態となっている。
【００４３】
転写機構１００を作動させて感光体ドラム３と転写ベルト１０３とを当接させる場合、図３（ｄ）に示すように、ソレノイド１２２を駆動して作動部１２２ａを図中略水平方向に突出させる。作動部１２２ａは、これに連結された連動部材１２４の第１アーム部１２４ａを略水平方向（図中右方向）に移動する。
【００４４】
第１アーム部１２４ａが右方向に移動することにより、該第１アーム部１２４ａに回動可能に係合された第１リフトアーム１２１ａの一片１２１ａ１が反時計回りに揺動し、これにより第１アーム部１２４ａが反時計回りに回動して、他方片１２１ａ２が上方に回動する。
【００４５】
また、第１アーム部１２４ａが移動することにより、コイルばね１２３を介して第２アーム部１２４ｂが図中略水平方向に移動する。これに伴い、第２アーム部１２４ｂに回動可能に係合された第２リフトアーム１２１ｂの一片１２１ｂ１が反時計回りに揺動することにより第２アーム部１２４ｂが反時計回りに回動して、他方片１２１ｂ２が上方に回動する。
【００４６】
上方に回動する第１リフトアーム１２１ａと第２リフトアーム１２１ｂの双方の他方片１２１ａ２，１２１ｂ２は転写ユニット１１０の底部１１０ａと当接し、さらに回動して転写ユニット１１０を所定量上昇させる。
【００４７】
転写ユニット１１０は、転写ベルト１０３が感光体ドラム３に圧接される位置まで上昇し、この時、転写ベルト１０３が感光体ドラム３に対して均等な転写ニップ幅を維持するようになっている。
【００４８】
すなわち、ソレノイド１２２を駆動することで転写ユニット１１０を所定量上方に移動し、転写ベルト１０３を感光体ドラム３に圧接させて所定量のニップ幅を得ることができる。
【００４９】
感光体ドラム３から転写ベルト１０３を離間する場合は、ソレノイド１２２を上述した動作と逆方向に作用させて作動部１２２ａを引き込む。
ソレノイド１２２により連動部材１２４を図中左方向に移動することにより、第１アーム部１２４ａに回動可能に係合された第１リフトアーム１２１ａの一片１２１ａ１が時計回りに揺動し、これにより第１アーム部１２４ａが時計回りに回動して、他方片１２１ａ２が下方に回動する。
【００５０】
また、第１アーム部１２４ａが移動することにより、コイルばね１２３を介して第２アーム部１２４ｂが図中略水平方向に移動する。これに伴い、第２アーム部１２４ｂに回動可能に係合された第２リフトアーム１２１ｂの一片１２１ｂ１が時計回りに揺動することにより第２アーム部１２４ｂが時計回りに回動して、他方片１２１ｂ２が下方に回動する。
【００５１】
他方片１２１ａ２，１２１ｂ２は転写ユニット１１０を下降し、さらに回動して転写ユニット１１０から離間して所定位置に戻る。すわわち、転写ユニット１１０は、転写ベルト１０３が感光体ドラム３に離間する位置まで下降し、第１リフトアーム１２１ａと第２リフトアーム１２１ｂは、転写ユニット１１０から離間した状態となる。
【００５２】
以上のように構成したので、本実施形態によれば、ベルト接離手段１２０の構成として、転写ユニット１１０に当接して転写ユニット１１０を変位させる第１リフトアーム１２１ａ及び第２リフトアーム１２１ｂと、これら第１リフトアーム１２１ａ及び第２リフトアーム１２１ｂを動作させるソレノイド１２２と、弾性部材を介して構成されて第１リフトアーム１２１ａ及び第２リフトアーム１２１ｂを連動させる連動部材１２４とを備えることで、用紙幅方向に沿った転写ユニット１１０の上下方向の移動を略平行に行なうことができるので、感光体ドラム３と転写ベルト１０３との接離動作を確実に行なうことができる。
【００５３】
また、本実施形態によれば、転写機構１００の構成として、ソレノイド１２２側に配置される第１リフトアーム１２１ａの配設位置を、第１リフトアーム１２１ａと転写ユニット１１０の底部１１０ａとの距離（ソレノイド１２２の動作による転写ユニット１１０に到達するまでの変位量）Ｌａが、第２リフトアーム１２１ｂと転写ユニット１１０の底部１１０ａとの距離（第２リフトアーム１２１ｂの転写ユニット１１０に到達するまでの変位量）Ｌｂよりも大きく設定したので、動作点（ソレノイド１２２）から遠い第２リフトアーム１２１ｂの動作が遅れた場合でも、変位量の差によりと第１リフトアーム１２１ａが転写ユニット１１０の底部１１０ａに到達する時間を遅らせて、第２リフトアーム１２１ｂが転写ユニット１１０の底部１１０ａに到達する時間に合わせることができる。
【００５４】
さらに、本実施形態では、連動部材１２４の構成に、コイルばね１２３を介して第１リフトアーム１２１ａと連結される第１アーム部１２４ａと第２リフトアーム１２１ｂと連結される第２アーム部１２４ｂとを連結するようにしたので、コイルばね１２３の反発力によって加工誤差や組立て誤差を吸収できるので、第１リフトアーム１２１ａと第２リフトアーム１２１ｂの動作を確実にできるので、感光体ドラム３と転写ベルトとの接離動作を確実に行なうことができる。
【００５５】
尚、本発明の弾性部材として、弾性機能を有するものであれば、上述したコイルばね１２３に代えて、その他のばね部材やゴム材を用いたものであっても良い。
【００５６】
（第２実施形態）
次に、本発明に係る転写機構１００が搭載された画像形成装置１Ａについて図面を参照して詳細に説明する。
図４は本発明の第２実施形態に係る転写機構が採用された画像形成装置の全体の構成を示す説明図、図５は前記画像形成装置の装置本体の構成を示す部分詳細図である。
【００５７】
本実施形態に係る画像形成装置１Ａは、現像剤（トナー）によって現像剤像（トナー像）が形成される感光体ドラム３を有する画像形成部１４と、用紙Ｐを搬送する転写ベルト１０３を備えて該転写ベルト１０３により搬送された用紙Ｐ上に感光体ドラム３上で顕像化されたトナー像を転写する転写ユニット１１０と、転写ユニット１１０の位置を変位させて前記感光体ドラム３に転写ベルト１０３を接離するベルト接離手段１２０とを備えた転写機構１００と、用紙Ｐ上に転写されたトナー像を用紙Ｐに定着させる定着ユニット（定着手段）６とを備えて印字要求に応じて画像出力を行う画像形成装置において、転写機構１００は、本発明に係るに転写機構を採用したものである。
【００５８】
まず、本実施形態に係る画像形成装置１Ａの全体構成について図面を参照して説明する。
画像形成装置１Ａは、図４，図５に示すように、主に、露光ユニット１、現像器２、感光体ドラム３、帯電器４、除電装置４１、クリーナユニット５、定着ユニット６、用紙搬送路７、給紙トレイ８、排紙トレイ９及び転写機構１００等より構成される装置本体１Ａ１と、自動原稿処理装置１Ａ２とにより構成されている。
【００５９】
装置本体１Ａ１の上面部には、原稿が載置される透明ガラスからなる原稿載置台２１が設けられ、この原稿載置台２１の上方には、自動原稿処理装置１Ａ２が上方に向かい揺動開放自在に設けられ、一方、この原稿載置台２１の下方には、原稿の画像情報を読み取る原稿読み取り部であるスキャナ部２２が配置されている。
【００６０】
そのスキャナ部２２の下方には、露光ユニット１、現像器２、感光体ドラム３、帯電器４、除電装置４１、クリーナユニット５、定着ユニット６、用紙搬送路７、排紙トレイ９及び転写機構１００が配設され、さらに、その下方には、用紙Ｐが収納された給紙トレイ８が配設されている。
【００６１】
露光ユニット１は、図示しない画像処理部から出力された画像データ（印字用画像情報）に応じてレーザ光を、帯電器４によって均一に帯電された感光体ドラム３の表面に照射して露光することにより、該感光体ドラム３の表面に画像データに応じた静電潜像を書込み形成する機能を有するものである。
【００６２】
露光ユニット１は、スキャナ部２２の直下で且つ感光体ドラム３上方に配置され、レーザ照射部１１および反射ミラー１２を備えたレーザスキャニングユニット（ＬＳＵ）１３ａ，１３ｂが採用されている。本実施形態では、高速印字処理を行う為に、複数のレーザ光を利用し、照射タイミングの高速化を低減する手法を採用し、２ビーム手法を採用している。
【００６３】
尚、本実施形態では、露光ユニット１にレーザスキャニングユニット（ＬＳＵ）１３ａ，１３ｂを用いているが、発光素子をアレイ状に並べたもの、例えばＥＬやＬＥＤ書込みヘッドを用いるものであっても良い。
【００６４】
感光体ドラム３は、図５に示すように、円筒状を呈し、露光ユニット１の下方に配設され、図示しない駆動手段と制御手段により所定方向（図中の矢印Ａ方向）に回転するように制御されている。この感光体ドラム３の外周面に沿って、画像転写終了後の位置を基準として感光体ドラム回転方向下流側に向かい、用紙剥離爪３１、クリーナユニット５、電界発生部としての帯電器４、現像器２、除電装置４１の順に配置されている。
【００６５】
用紙剥離爪３１は、ソレノイド３２により感光体ドラム３の外周面に接離可能に配置されている。この用紙剥離爪３１は、感光体ドラム３の外周面に当接した状態で、感光体ドラム３上の未定着トナー像を用紙Ｐに転写する際にその感光体ドラム３の表面に張り付いた用紙Ｐを剥離するものである。
【００６６】
尚、用紙剥離爪３１の駆動手段として、ソレノイド３２の換わりに駆動用モータ等を採用しても良く、その他の駆動手段の選択も可能である。
【００６７】
現像器２は、感光体ドラム３上に形成された静電潜像を黒トナーで顕像化するものであって、感光体ドラム回転方向（図中の矢印Ａ方向）で帯電器４より下流側で感光体ドラム３の側方で略水平（図中で右側）に配置されている。この現像器２下方には記録媒体搬送方向上流側にレジストローラ１５が配置されている。
【００６８】
レジストローラ１５は、給紙トレイ８から供給された用紙Ｐの先端と感光体ドラム３上のトナー像とを整合して感光体ドラム３と転写ベルト１０３との間に搬送するように、図示しない駆動手段と制御手段とのより動作制御されている。
【００６９】
帯電器４は、感光体ドラム３の表面を所定の電位に均一に帯電させるための帯電手段であって、感光体ドラム３の上方でその外周面に近接して配置されている。
尚、本実施形態では、チャージャー型の帯電器４を用いているが、接触型のローラ方式によるものやブラシ方式によるものを用いるものであっても良い。
【００７０】
除電装置４１は、感光体ドラム３の表面に形成されたトナー像を用紙Ｐに転写し易くするために該感光体ドラム３の表面電位を低下させるための転写前除電手段であって、感光体ドラム回転方向で現像器２より下流側で、且つ該感光体ドラム３の下方でその外周面に近接して配置されている。
【００７１】
尚、本実施形態では、除電装置４１は、除電電極を用いて構成されているが、除電電極の替わりに除電ランプを用いたり、その他の方式により除電するようにしたものであっても良い。
【００７２】
クリーナユニット５は、現像・画像転写後における感光体ドラム３上の表面に残留したトナーを除去・回収するものであって、感光体ドラム３を挟んで現像器２と略対向する位置で感光体ドラム３の側方で略水平（図中で左側）に配置されている。
【００７３】
上述した様に、感光体ドラム３上で顕像化された静電像は、静電像が有する電荷の逆極性の電界が搬送される用紙Ｐ上に転写機構１００から印加されることで用紙Ｐ上に転写される。
例えば、静電像が（−）極性の電荷を有している時は、転写機構１００の印加極性は（＋）極性となる。
【００７４】
転写機構１００は、図５に示すように、駆動ローラ１０１、従動ローラ１０２及び他のローラで架橋されるとともに、所定の抵抗値（本実施形態では１×１０９〜１×１０１３Ω・cmの範囲）を有する転写ベルト１０３が配置された転写ユニット１１０を有する転写ベルト式ユニットで構成され、感光体ドラム３の下方で、転写ベルト１０３の表面が感光体ドラム３の外周面の一部と接触するように配置されている。この転写ベルト１０３により、用紙Ｐを感光体ドラム３に押圧しながら搬送するようになっている。
【００７５】
転写ユニット１１０の下方にはベルト接離手段１２０が配置されている。
ベルト接離手段１２０は、ベルト接離手段１２０は、前述した第１実施形態の構成と同様な構成を有するものであって、図３（ａ）を参照して、転写ユニット１１０に当接して転写ユニット１１０を変位させるリフトアーム１２１と、リフトアーム１２１をそれぞれ連動させる連動部材１２４と、複数の連動部材１２４を連結するコイルばね１２３と、連動部材１２４を介してリフトアーム１２１を動作させるソレノイド１２２とを備えている。
【００７６】
そして、ベルト接離手段１２０は、画像形成装置１Ａに入力された処理信号（動作信号）に基づきソレノイド１２２を動作させて、感光体ドラム３上のトナー像を用紙Ｐに転写する時には、感光体ドラム３と転写ベルト１０３とを当接させ、転写処理が行なわれない時には、感光体ドラム３から転写ベルト１０３を離間するようにされている。
【００７７】
感光体ドラム３と転写ベルト１０３の接触部１０４には、駆動ローラ１０１及び従動ローラ１０２とは異なる導電性で転写電界を印加可能な弾性導電性ローラ１０５が配置されている。
【００７８】
弾性導電性ローラ１０５は、弾性ゴム、発泡性樹脂等の軟質材料により構成されている。この弾性導電性ローラ１０５が弾性を有することで、感光体ドラム３と転写ベルト１０３とが線接触でなく、所定の幅（転写ニップと呼ばれる。）を有する面接触となるので搬送される用紙Ｐへの転写効率の向上を図ることができる。
【００７９】
更に、転写ベルト１０３の転写領域の用紙搬送方向下流側には、搬送される用紙Ｐが転写領域で印加された電界を除電し、次工程への搬送をスムーズに行う為の除電ローラ１０６が転写ベルト１０３の背面側に配置されている。
【００８０】
また、転写機構１００には、転写ベルト１０３の残留トナーによる汚れを取るクリーニングユニット１０７と、転写ベルト１０３の除電を行う複数の除電機構１０８が配置されている。この除電機構１０８に用いられる除電を行うための手法として、装置を介して接地する手法、若しくは積極的に前記転写電界の極性とは逆極性を印加する手法がある。
【００８１】
転写機構１００で用紙Ｐ上に転写された静電像（未定着トナー）は、定着ユニット６に搬送されて加圧・加熱されることで未定着トナーが溶融されて用紙Ｐ上に定着される。
【００８２】
定着ユニット６は、図５に示すように、加熱ローラ６ａ、加圧ローラ６ｂとを備え、この加熱ローラ６ａと加圧ローラ６ｂとにより用紙Ｐを挟持した状態で加熱ローラ６ａを回転させ、加熱ローラ６ａと加圧ローラ６ｂとの間を通過させることにより、用紙Ｐ上に転写されたトナー像を溶融して定着させるものである。
【００８３】
定着ユニット６の用紙搬送方向下流側には、用紙Ｐを搬送する搬送ローラ１６が設けられている。
【００８４】
加熱ローラ６ａは、その外周部には用紙剥離爪６１１、ローラ表面温度検出部材（サーミスター）６１２、ローラ表面クリーニング部材６１３が配置され、内周部には加熱ローラ表面を所定温度（定着設定温度：概ね１６０〜２００℃）とする熱源６１４が設けられている。
【００８５】
加圧ローラ６ｂは、ローラの両端部で加熱ローラ６ａに対し所定圧量で加圧ローラ６ｂが圧接することが可能な加圧部材６２１が配置され、さらに、加圧ローラ６ｂの外周には加熱ローラ６ａの外周と同様に用紙剥離爪６２２、ローラ表面クリーニング部材６２３が配置されている。
【００８６】
この定着ユニット６は、図５に示すように、加熱ローラ６ａと加圧ローラ６ｂとの圧接部（いわゆる定着ニップ部と呼ばれる。）６００において、搬送される用紙Ｐ上の未定着トナーを加熱ローラ６ａにより加熱して溶融し、該加熱ローラ６ａと加圧ローラ６ｂとの圧接力による用紙Ｐ上への投鋲作用で、未定着トナーを用紙Ｐ上に定着するようになっている。
【００８７】
給紙トレイ８は、画像情報が出力（印字）されるシート（用紙）を複数枚蓄積しておくためのものであり、露光ユニット１、現像器２、感光体ドラム３、帯電器４、除電装置４１、クリーナユニット５、定着ユニット６等で構成される画像形成部１４の下側に構成されている。この給紙トレイ８の排紙側上部には、用紙ピックアップローラ８ａが配置されている。
【００８８】
この用紙ピックアップローラ８ａは、給紙トレイ８内に積載収容された用紙Ｐを最上層から１枚ずつピックアップし、下流側に向かって（便宜上の用紙Ｐの流れ出し側（カセット側）を上流、排紙側を下流とする。）用紙搬送路７上のレジストローラ（「アイドルローラ」とも称する。）１５側に搬送するようになっている。
【００８９】
本実施形態に係る画像形成装置１Ａでは、高速印字処理を行うことを目的とする為、画像形成部１４の下方に定型サイズの用紙Ｐを各々のトレイに５００〜１５００枚収納可能な複数の給紙トレイ８が配置され、一方、装置側面には複数の用紙種類を多量に収納可能な大容量給紙カセット８１が配置されるとともに、該大容量給紙カセット８１の上方に、主に不定型サイズの印字等に対応する手差しトレイ８２が設けられている。
【００９０】
排紙トレイ９は、手差しトレイ８２とは反対側の装置側面に配置されている。また、排紙トレイ９に変わって、排紙用紙の後処理装置（ステープル、パンチ処理等を行う装置）や複数段排紙トレイ等をオプションとして配置することも可能な構成となっている。
【００９１】
用紙搬送路７は、前述した感光体ドラム３と給紙トレイ８との間に構成され、給紙トレイ８から供給される用紙Ｐを一枚ずつ転写機構１００に搬送し、転写機構１００において、感光体ドラム３からトナー像が転写された用紙を定着ユニット６に搬送し、定着ユニット６において、未定着トナー像を用紙に定着した後に、指定された処理モードに応じて形成された用紙搬送路や分岐爪によって反転搬送ローラ１８やスイッチバックローラ１９を用いて用紙を搬送するように構成されている。
【００９２】
次に、本実施形態に係る画像形成装置１Ａの制御系について図面を参照して説明する。
図６は本実施形態に係る画像形成装置の電気制御部の構成を示すブロック図である。
【００９３】
本実施形態に係る画像形成装置１Ａは、図６に示すように、画像の読み取り処理、画像処理、画像形成処理、および用紙Ｐの搬送処理等をＲＯＭ（Read Only Memory）５５に予め記憶されたプログラムにしたがって中央処理ユニット（ＣＰＵ）５４がＲＡＭ（Random access Memory）５６等の一時的記憶手段を用いて処理を実行する。
【００９４】
尚、ＲＯＭ５５やＲＡＭ５６に代えてＨＤＤ（ハードディスクドライブ）などの記憶手段を用いることができる。
【００９５】
画像形成装置１Ａにおいて、スキャナ部２２によって読み取った原稿の画像情報（原稿画像データ）、または、図示しない通信ネットワークに繋がれた各端末装置から送信された原稿画像情報は、通信処理部５８を介して画像処理部５７に入力されるようになっている。
【００９６】
画像処理部５７は、ＲＡＭ５６等の記憶部に記憶された原稿画像情報を印字（用紙への画像形成）に適した印字用画像に上記のプログラムによって処理するものである。
【００９７】
印字用画像情報は画像形成部１４に入力される。
画像形成部１４、用紙搬送部（用紙搬送路７等において用紙の各種検出・制御を行う。）５９、定着ユニット６、排紙処理部（排紙ローラ１７において用紙の各種の検出・制御を行う。）６０は、各々の駆動制御部６２と連動している。
【００９８】
用紙搬送部５９によって搬送される用紙は、印字工程（画像形成部１４においての画像情報の印字処理）と、その後に、その印字処理された用紙に対する定着工程（定着ユニット６）を経て用紙排出部（排紙トレイ９）に排出されるようになっている。
尚、用紙搬送部５９には、レジスト前検知スイッチ５９６や図示しない定着検知スイッチ、および排紙検知スイッチ等の検出信号が入力されるようになっている。
【００９９】
レジスト前検知スイッチ５９６は、レジストローラ１５に用紙が到達したか否かを検出するスイッチである。定着検知スイッチは、定着ユニット６に用紙が到達したか否かを検出するスイッチである。排紙検知スイッチは、用紙が排紙された否かを検出するスイッチである。
【０１００】
また、画像形成装置１Ａには、運転条件設定部７７が設けられている。
この運転条件設定部７７は、操作スイッチ類７６によって使用者が設定した画像形成要求または記録媒体（用紙）の種類等の画像形成条件に応じて、画像形成装置１Ａの画像形成、または搬送条件等の運転条件を設定するものである。
【０１０１】
また、画像形成装置１Ａは、設定された前記運転条件にしたがって、読み取り部（スキャナ部２２）、用紙搬送部５９、画像形成部１４、転写機構１００、定着ユニット６および排紙処理部６０などの駆動用アクチュエータである原稿読み取り駆動部６４、用紙搬送駆動部６６、反転搬送駆動部６７、印字処理駆動部６８、転写機構駆動部１００Ａ、定着駆動部７０、排紙駆動部７２及び大容量給紙カセット（用紙供給装置）８１の動作、すなわちＲＯＭ５５に記憶されたプログラムに基づくＣＰＵ５４の指令にしたがって同期した動作処理を行うようになっている。
【０１０２】
原稿読み取り駆動部６４は、スキャナ部２２の駆動用アクチュエータである。
用紙搬送駆動部６６は、用紙搬送部５９、具体的には、上述の用紙搬送路７上の用紙ピックアップローラ８ａ、レジストローラ１５の駆動用モータである。
反転搬送駆動部６７は、反転搬送ローラ１８やスイッチバックローラ１９の駆動用モータである。
印字処理駆動部６８は、感光体ドラム３の駆動用モータである。
定着駆動部７０は、定着ユニット６の加熱ローラ６ａおよび加圧ローラ６ｂの駆動用モータである。
排紙駆動部７２は、排紙ローラ１７などの駆動用モータである。
【０１０３】
これらの各駆動部の駆動用モータは、それぞれ同じまたは異なるモータを駆動源として適宜に動力伝達機構を介して構成できる。
【０１０４】
転写機構駆動部１００Ａは、転写ユニット１１０を感光体ドラム３に対して着脱操作をするためのソレノイド１２２であり、転写処理工程において転写ベルト１０３の駆動ローラ１０１の動作とともに、用紙搬送駆動部６６や印字処理駆動部６８等の動作に同期して動作処理が行なわれる。
【０１０５】
さらに、画像形成装置１Ａには、オプション構成７４として、後処理装置（ステープル、パンチ、複数段排紙トレイ、シフター等々）、自動原稿読み取り装置（自動原稿処理装置１Ａ２等）、大容量給紙カセット８１等が配置可能であり、それらオプション構成７４は画像形成装置１Ａの制御部とは別に各々のオプション構成７４内に制御部７４ａを持ちながら、装置とのタイミング調整を、前記通信処理部５８を介して同期するように構成されている。
【０１０６】
記録媒体検出手段７８は、定着ユニット６または搬出部に用紙の先端が到達することを検出するものである。具体的には、記録媒体検出手段７８は、用紙搬送路７入り口において用紙を導入するレジストローラ１５から用紙が送り出された後の用紙の搬送時間を計測する搬送時間計測手段７９ａと、このレジストローラ１５から制御対象の定着ユニット６および排紙ローラ１７のそれぞれまでの距離と用紙の搬送速度に基づき、用紙搬送路７における用紙の搬送タイミングを決定する搬送タイミング決定手段７９ｂとを有している。
【０１０７】
また、記録媒体検出手段７８は、本実施形態では、定着ユニット６および排紙ローラ１７のそれぞれに用紙が到達する（突入する）タイミングを、搬送タイミング決定手段７９ｂによって検出した記録媒体の搬送タイミングに基づいて検出するようにしている。
【０１０８】
以上のように構成したので、本実施形態によれば、画像形成装置１Ａに本発明に係る転写機構１００を採用することで、用紙幅方向に沿った転写ユニット１１０の上下方向の移動を略平行に行なうことができるので、感光体ドラム３と転写ベルト１０３との接離動作を確実にでき、安定した転写と用紙搬送を行なうことができる。これにより、高品位な画像出力を実現できる。
【０１０９】
また、本実施形態によれば、感光体ドラム３と転写ベルト１０３とが常に接触することなく接離動作を最適なタイミングで確実に行なうことができるので、感光体ドラム３と転写ベルト１０３の損傷を防止でき、且つ長寿命化を図ることができる。
【０１１０】
尚、本発明は、上述した実施形態において説明した画像形成装置に限定されるものではなく、転写機構やそれに類する構成を有するものであれば、本実施形態とは異なる構成よりなる画像形成装置などにも展開が可能である。
【図面の簡単な説明】
【０１１１】
【図１】本発明の第１実施形態に係る転写機構の構成を示す側面視による説明図である。
【図２】前記転写機構の構成を示す平面視による説明図である。
【図３】前記転写機構を構成するベルト接離手段の構成を示す説明図であって、（ａ）は前記ベルト接離手段が転写ユニットから離間している状態を示す側面視による説明図、（ｂ）は前記ベルト接離手段の平面視による説明図、（ｃ）は前記ベルト接離手段が転写ユニットを押し上げる状態を示す側面視による説明図、（ｄ）は前記ベルト接離手段の平面視による説明図である。
【図４】本発明の第２実施形態に係る転写機構が採用された画像形成装置の全体の構成を示す説明図である。
【図５】前記画像形成装置の装置本体の構成を示す部分詳細図である。
【図６】前記画像形成装置の電気制御部の構成を示すブロック図である。
【符号の説明】
【０１１２】
１Ａ  画像形成装置
１Ａ１  装置本体
２  現像器
３  感光体ドラム
６  定着ユニット
１４  画像形成部
１００  転写機構
１００Ａ  転写機構駆動部
１０３  転写ベルト
１１０  転写ユニット
１１０ａ  底部
１２０  ベルト接離手段
１２１  リフトアーム
１２１ａ  第1リフトアーム
１２１ａ１  一片
１２１ａ２  他方片
１２１ｂ  第２リフトアーム
１２１ｂ１  一片
１２１ｂ２  他方片
１２１ｃ  支軸
１２２  ソレノイド
１２２ａ  作動部
１２４  連動部材
１２４ａ  第１アーム部
１２４ｂ  第２アーム部
Ｐ  用紙
【図１】
2008003440.tif 000003
【図２】
2008003440.tif 000004
【図３】
2008003440.tif 000005
【図４】
2008003440.tif 000006
【図５】
2008003440.tif 000007
【図６】
2008003440.tif 000008